(57)【特許請求の範囲】
【請求項１】
ローラにて紙を紙収納箱から１枚ずつ分離して搬出する前記紙収納箱において、
前記搬出時に進行する紙の前端が突き当たる、前記紙収納箱の前縁部内側面は、垂直面に対して傾斜して設けられ搬出された前記紙の前端が先ず当接する第１の斜面と、前記紙の進行方向の下流側で前記第１の斜面に交差して連なる第２の斜面とから構成され、
前記第２の斜面は、前記第１及び第２の両斜面の交差部を通過する前記垂直面から見て前記第１の斜面と同じ側に設けられ、かつ、前記垂直面とのなす角度が、前記第１の斜面と前記垂直面とのなす角度より小さく設けられていることを特徴とする、紙分離機能を有する紙収納箱。
【請求項２】
前記第１の斜面と垂直面とのなす前記角度は１０°ないし４０°、前記第２の斜面と垂直面とのなす前記角度は０°ないし３０°、そして第１及び第２の両斜面間のなす角度は１７０°ないし１１０°である、請求項１に記載の紙分離機能を有する紙収納箱。
【請求項３】
前記第１の斜面及び第２の斜面の材料の表面の粗さは、平均粗さ（Ｒａ）が０．２４μｍ以下、最大粗さ（Ｒｍａｘ）が３．２０μｍ以下、及び十点平均粗さ（Ｒｚ）が２．４０μｍ以下である、請求項１または２に記載の紙分離機能を有する紙収納箱。
【請求項４】
第２の斜面の材料の表面の粗さは、第１の斜面の材料の表面の粗さに比して、平均粗さ（Ｒａ）、最大粗さ（Ｒｍａｘ）及び十点平均粗さ（Ｒｚ）のそれぞれの数値が大きい、請求項１から３のいずれか１項に記載の紙分離機能を有する紙収納箱。
【請求項５】
第２の斜面は、表面の粗さが大きい材料が内貼りされて成る請求項１から４のいずれか１項に記載の紙分離機能を有する紙収納箱。
【発明の詳細な説明】
【０００１】
【発明の属する技術分野】
本発明は、紙、フィルム等厚さが０．１ミリ程度の薄いシート状物の分離機構を有する紙収納箱に関する。
【０００２】
【従来の技術】
従来のこの種の紙収納箱の端面は１つの斜面で構成されていた。このため、紙自体の摩擦が低い場合または紙の腰が弱い場合は、斜面から受ける抵抗が小さく、紙の端面が分離せずに１度に２枚の紙が搬送されてしまい不都合なことが屡あった。この紙の分離性向上対策として、例えば、次に示すように、
実開平５−４２２４６の自動給紙構造は、多面回転体の面上に分離して複数の摩擦パッドを備えた用紙分離用パッドが給紙ローラへの押圧力を容易に増減できる構造としたもの、
特開平１０−２９１６５９の給紙装置は、腰の弱い用紙でも座屈を生ぜず安定して分離、搬送できるように、腰付けを施す装置および皺直し装置を有するもの、
特開平１１−３５１８０の給紙装置は、給紙ローラにより送られるべき用紙を次位の用紙から分離する分離パッドのばねよりも小さい付勢力のローラばねでアイドルローラを分離パッドに当接させ、次位の用紙を戻し、分離パッドの給紙ローラとの対向面を湾曲させる等の構造を有するもの、
特許番号第８５８１８７号のシート材運搬装置は、搬送ローラとニップを構成する複数個のコロ及び搬送ガイド部に設けられる搬送ガイドを具備し、搬送ローラの軸の延長線上の非搬送ローラ部と搬送ローラ部に設けられる搬送ガイド及び、その際の搬送力を伝えるコロを備え、、またシート材を搬送ローラ外周表面上に沿わせるための非搬送ローラ部に設けられる搬送ガイドを具備し、これらによりシート材をニップ部へ突入時以降においてジャム等がなく、印字精度を向上させるもの、等がある。
【０００３】
これらは、それぞれ特色が備わっている反面、装置が複雑化していることは否定できない。
【０００４】
図５は、一般的な一従来例の給紙動作中において、紙の分離が円滑に行われない状態を示す断面図である。
【０００５】
【発明が解決しようとする課題】
従来の紙収納箱の前縁部内側面は、一般に、複数の面で構成され、ローラにより搬送された複数枚の紙の端面が収納箱側の斜面に当たり、なお継続して搬送力を受けると、紙の先端部は、斜面のから搬送を妨げる抵抗を受けながら湾曲形状となり分離される。斜面を複数面で構成することにより、斜面の抵抗はさらに大きくなるので記録紙の先端の分離が確実に行われることとなる。したがって、斜面は急角度であるほど、また、表面摩擦が大きいほど分離力は大きいが、腰が強い紙では、抵抗が大きくなり過ぎて搬送ができなくなることがある。すなわち、分離しようとする紙の厚さ、湾曲しやすさ（紙の腰）の違いにより分離が不可能となり、１度に２枚給紙されてしまうことが問題である。
【０００６】
したがって、本発明の目的は、紙の腰を特に強くするための装置を付与することなしに、紙の厚さや湾曲性の差による影響を受けにくい紙分離機能を有する紙収納箱を提供することである。
【０００７】
【課題を解決するための手段】
本発明の紙分離機能を有する紙収納箱は、ローラにて紙を紙収納箱から１枚ずつ分離して搬出する前記紙収納箱において、前記搬出時に進行する紙の前端が突き当たる、前記紙収納箱の前縁部内側面は、垂直面に対して傾斜して設けられ搬出された前記紙の前端が先ず当接する第１の斜面と、前記紙の進行方向の下流側で前記第１の斜面に交差して連なる第２の斜面とから構成され、前記第２の斜面は、前記第１及び第２の両斜面の交差部を通過する前記垂直面から見て前記第１の斜面と同じ側に設けられ、かつ、前記垂直面とのなす角度が、前記第１の斜面と前記垂直面とのなす角度より小さく設けられていることを特徴とする。
【０００９】
また、第１の斜面と垂直面とのなす角度は１０°ないし４０°、第２の斜面と垂直面とのなす角度は０°ないし３０°、そして第１及び第２の両斜面間のなす角度は１７０°ないし１１０°であることが好ましい。
【００１０】
なお、第１の斜面及び第２の斜面の材料の表面の粗さは、平均粗さ（Ｒａ）が０．２４μｍ以下、最大粗さ（Ｒｍａｘ）が３．２０μｍ以下、及び十点平均粗さ（Ｒｚ）が２．４０μｍ以下である、ことが好ましく、かつ、第２の斜面の材料の表面の粗さは、第１の斜面の材料の表面の粗さに比して、平均粗さ（Ｒａ）、最大粗さ（Ｒｍａｘ）及び十点平均粗さ（Ｒｚ）のそれぞれの数値が大きいものであることが一層好ましく、あるいは、さらに、第２の斜面には表面の粗さが大きい材料により内貼りされて成るものも好ましい。
【００１１】
【発明の実施の形態】
次に、本発明の実施の形態について図面を参照して説明する。
【００１２】
図１は、本発明の紙分離機能を有する紙収納箱の一実施形態例の給紙開始直前時の状態を示す断面図、図２は、図１の給紙開始時の状態を示す断面図、図３は、図２から給紙動作が進み、紙の分離の途中の状態を示す断面図である。
【００１３】
図１を参照すると、本発明の実施の形態は、駆動シャフト８にて保持されたホルダー６にローラ１が取り付けられている。ホルダー６は、シャフト８を中心として、回転動作を行うことができる。ローラ１は従動シャフト９を介してホルダー６に保持されている。ローラ１はホルダー６に取り付けられているばね７にて、荷重が掛けられている。紙２を収納した紙収納箱３は、ローラ１の下側に取り付けられ、ローラ１は、紙２を収納箱３の底面を押  す荷重を受けて取り付けられている。
【００１４】
紙収納箱３は、プラスチック成形からなり、その前側面部の断面形状は、第１の斜面４および第２の斜面５の２つの斜面から構成されている。本実施形態例において、図４に示すように、第１，第２の斜面の垂直面とのなす角は、それぞれ３０°および２０°、したがって、両面間の成す角は１３０°（＝１８０°−３０°−２０°）に設定されている。そして、第１の斜面４および第２の斜面５の材料の表面の粗さは、平均粗さ（Ｒａ）が０．２４μｍ、最大粗さ（Ｒｍａｘ）が３．２０μｍ、及び十点平均粗さ（Ｒｚ）が２．４０μｍのものを採用した。
【００１５】
次に、動作について説明する。
【００１６】
ローラ１が回転することにより、紙２は複数枚が紙収納箱３の側面まで搬送される。複数枚の紙１の端面は、側面の斜面に当たり、ローラ１の回転が継続されると、第１の斜面４に沿って複数枚の紙１の端面は移動する。第１の斜面４と第２の斜面５の角部まで移動したとき、１枚目の紙Ｐａは第２の斜面５に沿って移動する。しかし、２枚目の紙Ｐｂは、その端面が、両斜面４，５の角部の摩擦により、１枚目の紙Ｐａの端面と分離されると同時に１枚目の紙Ｐａと２枚目の紙Ｐｂ全体間にずれを生じる。この後も搬送ローラ１は、回転を継続すると、１枚目の紙Ｐａは搬送ローラ１の摩擦により、斜面に沿って搬送されるが、２枚目の紙Ｐｂは、両斜面４，５の角部の摩擦により端面が搬送できなくなり、搬送が停止する。よって、１枚目の紙Ｐａだけが、分離されて本体部へ給紙されることとなる。
【００１７】
上述の第１および第２の斜面については、面の粗さおよび角度を適当に変えて、積載されている紙の分離状況を実験した結果、後述の図４（ａ）ないし（ｄ）に示すものおよび、これらの中間のものは、これらの範囲外のものと比較して、トラブルの発生割合が顕著に低下するデータを得た。これにより、請求範囲の設定を行なった。
【００１８】
次に、本発明の他の実施の形態例について説明する。
【００１９】
図４（ａ），（ｂ）および（ｄ）は、それぞれ、本発明の紙収納箱の前縁部内側面の第１および第２の斜面の角度を第１の実施形態例（ｃ）と異なる例を模式的に拡大して示す断面図である。
【００２０】
なお、摩擦力を変化させるよう、第１の斜面４と第２の斜面５とを摩擦係数の違う複数の素材で構成するために、例えば、第２の斜面５は面の粗さの大きいプラスチック膜を貼り付けること（図示を省略）も紙分離効果上好ましい。図示を省略する。
【００２１】
また、斜面の角部における粗さを変えること（図示を省略）でも効果が期待できる。
【００２２】
【発明の効果】
以上説明したように本発明は、搬出時に進行する紙の前端面が突き当たる紙収納箱の前縁部内側面を、垂直面に対して傾斜して設けられ、最初に紙の前端が当たる斜面と、該斜面に交差して連接し、かつ垂直面に対する角度が該斜面と垂直面とがなす角度より小さい他の斜面とから成る構造とすること等により、紙の腰を特に強くするための装置を付与することなしに、紙の厚さや湾曲性の差による影響を受けにくい紙分離機能を有する紙収納箱を提供することができる効果がある。
【図面の簡単な説明】
【図１】本発明の紙分離機能を有する紙収納箱の一実施形態例の給紙開始直前時の状態を示す断面図である。
【図２】図１の給紙開始時の状態を示す断面図である。
【図３】図２から給紙動作が進み、紙の分離の途中の状態を示す断面図である。
【図４】（ａ）〜（ｄ）は、それぞれ、本発明の紙収納箱の前縁部内側面の第１および第２の斜面の角度を変えた例を模式的に拡大して示す断面図である。
【図５】従来例の給紙動作中において、紙の分離が円滑に行われない状態を示す断面図である。
【符号の説明】
１    ローラ
２    紙
３    収納箱
４，４１  ，４２  ，４３  ，４４      第１の斜面
５，５１  ，５２  ，５３  ，５４      第２の斜面
６    ホルダー
７    ばね
８    駆動シャフト
９    従動シャフト
Ｐａ    １枚目の紙
Ｐｂ    ２枚目の紙
Ｘ    水平面
Ｙ    垂直面
【図１】
0003592198.tif 000002
【図２】
0003592198.tif 000003
【図３】
0003592198.tif 000004
【図４】
0003592198.tif 000005
【図５】
0003592198.tif 000006